(57)【要約】      （修正有）【課題】エレベータのかご内に設置された防犯カメラにおいて、撮像部で撮影された画像の管理と駆動制御ソフトの更新との容易化を図る。【解決手段】外部に露出したカード挿入口１２に選択的に装着される各メモリカード１３，１４に対して各種情報の読み書きを実行するカードリーダ・ライタ１１と、カードリーダ・ライタ１１に対して装着されている併用メモリカード１３に対して、撮影された画像を書込む画像書込部２４と、カードリーダ・ライタ１１に各メモリカード１３，１４が新規に装着されると、この新規装着された各メモリカード１３、１４に駆動制御ソフト２１に対する更新用ソフトが記憶されているかを判定するカード種別判定部２５と、カード種別判定部２５が更新用ソフトの記憶を判定したとき、駆動制御ソフト２１を更新用ソフトで更新するソフト更新部２７と、を備える。【選択図】図３
2008050134.tif 000002
【特許請求の範囲】
【請求項１】
エレベータのかご内の上方位置に取付けられ、内部に記憶された駆動制御ソフトで撮影動作が制御される撮像部で前記かご内を撮影して、撮影した画像を記憶するエレベータの防犯カメラにおいて、
外部に露出した挿入口に選択的に装着される記憶媒体に対して各種情報の読み書きを実行するカードリーダ・ライタと、
前記カードリーダ・ライタに対して装着されている記憶媒体に対して、前記撮影された画像を書込む画像書込手段と、
前記カードリーダ・ライタに対する記憶媒体の新規装着操作に応じて、この新規装着された記憶媒体に前記駆動制御ソフトに対する更新用ソフトが記憶されているかを判定する判定手段と、
この判定手段が更新用ソフトの記憶を判定したとき、前記駆動制御ソフトを前記更新用ソフトで更新する駆動制御ソフト更新手段と
を備えたことを特徴とするエレベータの防犯カメラ。
【請求項２】
前記判定手段が更新用ソフトの記憶を判定したとき、前記更新用ソフトのバージョンが前記駆動制御ソフトのバージョンより新しいことの確認後、前記駆動制御ソフト更新手段を実行するバージョン確認手段を備えたことを特徴とする請求項１記載のエレベータの防犯カメラ。
【請求項３】
前記バージョン確認手段にて前記更新用ソフトのバージョンが新しいことの確認ができなかったとき、及び前記駆動制御ソフト更新手段が実行されたときに、前記新規装着された記憶媒体に記憶された更新用ソフトを消去し、消去した領域を前記撮影された画像の書込可能領域とする更新用ソフト消去手段を備えたことを特徴とする請求項２記載のエレベータの防犯カメラ。
【請求項４】
前記判定手段が、新規装着された記憶媒体に更新用ソフトのみが記憶され、かつ更新用ソフトの消去禁止が記憶されていることを判定したとき、前記駆動制御ソフトの更新後が前記新規装着された記憶媒体を前記カードリーダ・ライタから排出する記憶媒体排出手段を備えたことを特徴とする請求項３記載のエレベータの防犯カメラ。
【請求項５】
前記撮像部、前記カードリーダ・ライタ、及び前記駆動制御ソフトを記憶した記憶部は筐体内に収納され、この筐体の外面の一面がかご内の壁面に取付けられ、かつ前記カードリーダ・ライタの前記筐体の外面に露出した挿入口は、記憶媒体の挿入方向がこの筐体が取付けられた壁面に平行又は垂直になるように設定されていることを特徴とする請求項１から４のいずれか１項記載のエレベータの防犯カメラ。
【請求項６】
前記撮像部、前記カードリーダ・ライタ、及び前記駆動制御ソフトを記憶した記憶部を収納した筐体はかご内の天井壁面又は側壁面に取付けられていることを特徴とする請求項１から５のいずれか１項記載のエレベータの防犯カメラ。
【請求項７】
前記カードリーダ・ライタは、前記かご内以外の場所に設置されていることを特徴とする請求項１記載のエレベータの防犯カメラ。
【請求項８】
エレベータのかご内の上方位置に取付けられ、内部に記憶された駆動制御ソフトで撮影動作が制御される撮像部で前記かご内を撮影して、撮影した画像を記憶するエレベータの防犯カメラにおいて、
外部に露出した挿入口に選択的に装着される記憶媒体に対して各種情報の読み書きを実行するカードリーダ・ライタと、
前記カードリーダ・ライタに対して装着されている記憶媒体に対して、前記撮影された画像を書込む画像書込手段と、を備え、
前記撮像部、前記カードリーダ・ライタ、前記記憶部は筐体内に収納され、この筐体の外面の一面がかご内の壁面に取付けられ、かつ前記カードリーダ・ライタの前記筐体の外面に露出した挿入口は、記憶媒体の挿入方向がこの筐体が取付けられた壁面に平行又は垂直になるように設定されていることを特徴とするエレベータの防犯カメラ。
【発明の詳細な説明】
【技術分野】
【０００１】
本発明は、ドアが閉じると外部に対して隔離空間となるエレベータのかご内における犯罪発生を未然に抑制するためのエレベータの防犯カメラに関する。
【背景技術】
【０００２】
近年、集合住宅やオフィスビル等において犯罪の発生頻度が高まっており、オーナーの防犯意識が高まるとともに、防犯カメラ等のセキュリティシステムを導入するケースが増加している。例えば、マンションであればエントランス、エレベータかご内、駐輪場、駐車場、ゴミ置き場等の共有部が監視の対象となる。
【０００３】
特に、ドアが閉じると外部に対して隔離空間となるエレベータのかご内が防犯のための重要な監視場所となる。このような監視場所に設置されるカメラとして、近年、ハードディスクや半導体メモリ等を記憶媒体とした防犯力メラが市販されている。防犯力メラで撮影された画像は、記憶媒体に上書き保存される。したがって、記憶媒体には、常時最新の例えば１週間分の画像が記憶保持されている。
【０００４】
しかしながら、これらの防犯カメラは、当該画像の取出しに要する時間的制約や、作業性を考慮すると、防犯カメラ本体は設置したまま記憶媒体のみを取り外すことが求められている。
【０００５】
また、通常、カメラは第三者からイタズラされにくくするため、エレベータのかご内の壁の隅や、比較的高い位置、例えば天井近くに設置されることが多く、壁や天井が記憶媒体の取出しに支障をきたす場合が多い。
【０００６】
このため、防犯カメラをエレベータのかご内に設置するに当たっては、これらの問題点を踏まえて事前に現地での設置位置の確認作業が必要となり、非常に手間がかかった。また、これらの防犯カメラにおいては、一般的に内部に保存してある駆動制御ソフトにより、撮影部の制御や、画像圧縮の制御や、記録全般の制御や、情報の管理が行われている。
【０００７】
これら内部の駆動制御ソフトは、時代のニーズに合った機能を取入れたり、設置後の改善活動を反映させるべく、その都度、バージョンアップしていくことが、本来、望ましい。近年、パソコン等においては、急速なインターネットの普及に伴い、遠隔地からのソフトウエアのダウンロードが容易となり、常に最新版のソフトウエアに更新されるようになった。
【０００８】
なお、エレベータのかご内に設置された防犯用のカメラに記憶された画像をパソコンで確認する技術が特許文献１に開示されている。
【特許文献１】特開２００３−４０５４２号公報
【発明の開示】
【発明が解決しようとする課題】
【０００９】
したがって、防犯カメラにおいても、この防犯カメラがネットワークに接続されていれば、遠隔地等から駆動制御ソフトのデータの更新を行うことは可能であるが、設置場所がエレベータのかご内という特殊な場所であることにより、ケーブル敷設に伴う労力、コストを考慮すると、この防犯カメラに対して、ネットワーク環境を整備するのは極めて困難である。
【００１０】
その結果、エレベータのかご内に設置された防犯カメラのソフトウエアを更新する際は、パソコンや専用の機器をかご内に持参して、防犯カメラに接続し、更新を実施するため、非常に手間がかかる。
【００１１】
本発明はこのような事情に鑑みてなされたものであり、撮像部で撮影した画像が記憶保持されている記憶媒体を簡単に取出すことができるとともに、必要に応じて内部に記憶されている駆動制御ソフトを簡単に更新でき、操作性の向上と、たとえネットワーク環境が整備されていない場合においても、維持管理の容易性の向上を図ることができるエレベータの防犯カメラを提供することを目的とする。
【課題を解決するための手段】
【００１２】
上記課題を解消するために、本発明は、エレベータのかご内の上方位置に取付けられ、内部に記憶された駆動制御ソフトで撮影動作が制御される撮像部でかご内を撮影して、撮影した画像を記憶するエレベータの防犯カメラにおいて、外部に露出した挿入口に選択的に装着される記憶媒体に対して各種情報の読み書きを実行するカードリーダ・ライタと、カードリーダ・ライタに対して装着されている記憶媒体に対して、撮影された画像を書込む画像書込手段と、カードリーダ・ライタに対する記憶媒体の新規装着操作に応じて、この新規装着された記憶媒体に駆動制御ソフトに対する更新用ソフトが記憶されているかを判定する判定手段と、この判定手段が更新用ソフトの記憶を判定したとき、駆動制御ソフトを更新用ソフトで更新する駆動制御ソフト更新手段とを備えている。
【００１３】
このように構成されたエレベータの防犯カメラにおいては、撮像部で撮影した画像は、カードリーダ・ライタの外部に露出している挿入口に選択的に装着される記憶媒体に書込まれるので、エレベータの管理者や警備員は、必要に応じて、カードリーダ・ライタの挿入口に装着されている記憶媒体を取り出せ（抜き出せ）ばよい。
【００１４】
さらに、内部に記憶された駆動制御ソフトを更新する場合は、カードリーダ・ライタの挿入口に装着されている記憶媒体を取出して、この記憶媒体の代わりに、駆動制御ソフトに対する更新用ソフトが記憶された記憶媒体を装着すれば、自動的に駆動制御ソフトが更新される。
【００１５】
また、別の発明においては、判定手段が更新用ソフトの記憶を判定したとき、更新用ソフトのバージョンが駆動制御ソフトのバージョンより新しいことの確認後、駆動制御ソフト更新手段を実行するバージョン確認手段を備えている。
【００１６】
このように構成されたエレベータの防犯カメラにおいては、駆動制御ソフトの更新はバージョン確認の後に実施されるので、操作者はバージョンを気にせずに操作できるので、操作性をより一層向上できる。
【００１７】
また、別の発明においては、バージョン確認手段にて更新用ソフトのバージョンが新しいことの確認ができなかったとき、及び駆動制御ソフト更新手段が実行されたときに、前記新規装着された記憶媒体に記憶された更新用ソフトを消去し、消去した領域を撮影された画像の書込可能領域とする更新用ソフト消去手段を備えている。
【００１８】
このように構成されたエレベータの防犯カメラにおいては、カードリーダ・ライタに装着された記憶媒体に記憶された更新用ソフトを用いた駆動制御ソフトの更新が終了すると、この更新用ソフトは消去されるので、この記憶媒体をそのまま、撮像部で撮影された画像の書込用の記憶媒体として使用できるので、操作性をさらに向上できる。
【００１９】
また、別の発明においては、判定手段が、新規装着された記憶媒体に更新用ソフトのみが記憶され、かつ更新用ソフトの消去禁止が記憶されていることを判定したとき、駆動制御ソフトの更新後に新規装着された記憶媒体をカードリーダ・ライタから排出する記憶媒体排出手段を備えている。
【００２０】
このように構成されたエレベータの防犯カメラにおいては、更新用ソフトのみが記憶され、かつ更新用ソフトの消去禁止が記憶された更新専用の記憶媒体をカードリーダ・ライタに装着すると、駆動制御ソフトの更新後にこの記憶媒体が排出されるので、この記憶媒体で複数のかご内に取付けられた防犯カメラの駆動制御ソフトを更新できる。
【００２１】
また、別の発明においては、撮像部、カードリーダ・ライタ、及び駆動制御ソフトを記憶した記憶部は筐体内に収納され、この筐体の外面の一面がかご内の壁面に取付けられ、かつカードリーダ・ライタの筐体の外面に露出した挿入口は、記憶媒体の挿入方向がこの筐体が取付けられた壁面に平行又は垂直になるように設定されている。
【００２２】
このように、カードリーダ・ライタの筐体の外面に露出した挿入口は、記憶媒体の挿入方向がこの筐体が取付けられた壁面に平行又は垂直になるように設定しているので、操作員は簡単に記憶媒体をカードリーダ・ライタに対して着脱できる。
【００２３】
また、別の発明においては、撮像部、カードリーダ・ライタ、及び駆動制御ソフトを記憶した記憶部を収納した筐体はかご内の天井壁面又は側壁面に取付けられている。
【００２４】
さらに、カードリーダ・ライタは、かご内以外の場所に設置されている。
【００２５】
また、別の発明においては、エレベータのかご内の上方位置に取付けられ、内部に記憶された駆動制御ソフトで撮影動作が制御される撮像部で前記かご内を撮影して、撮影した画像を記憶するエレベータの防犯カメラにおいて、外部に露出した挿入口に選択的に装着される記憶媒体に対して各種情報の読み書きを実行するカードリーダ・ライタと、カードリーダ・ライタに対して装着されている記憶媒体に対して、撮影された画像を書込む画像書込手段とを備えている。
【００２６】
さらに、撮像部、カードリーダ・ライタ、記憶部は筐体内に収納され、この筐体の外面の一面がかご内の壁面に取付けられ、かつカードリーダ・ライタの筐体の外面に露出した挿入口は、記憶媒体の挿入方向がこの筐体が取付けられた壁面に平行又は垂直になるように設定されている。
【００２７】
このような構成のエレベータの防犯カメラにおいても、先の発明とほぼ同じ効果を奏することが可能である。
【発明の効果】
【００２８】
本発明においては、撮像部で撮影した画像が記憶保持されている記憶媒体を簡単に取出すことができるとともに、必要に応じて内部に記憶されている駆動制御ソフトを簡単に更新できる。
【発明を実施するための最良の形態】
【００２９】
以下、本発明の各実施形態を図面を用いて説明する。
【００３０】
（第１実施形態）
図１は、本発明の第１実施形態に係わるエレベータの防犯カメラが取付けられたエレベータのかごの内部を示す模式図である。
【００３１】
ビル等の建屋内に形成された図示しない昇降路内を上下移動するかご１の４つの側面の一つには乗客２が出入りするドア３が形成されている。さらに、このドア３に対向する側面４、床５、天井６、側面７、及び図示しない側面が設けられている。そして、この第１実施形態の防犯カメラ８は一つの側面７の天井６近傍位置に取付けられている。
【００３２】
図２は防犯カメラ８の外観図である。この防犯カメラ８においては、箱型の筐体９の裏面がかご１の側面７の天井６近傍位置に固定されている。この筐体９の前面９ａには、撮像部１０の広角レンズが組込まれた前端部が露出しており、筐体９の側面９ｂには、筐体９内に収納されたカードリーダ・ライタ１１のカード挿入口１２が露出している。
【００３３】
このカード挿入口１２には、同一規格を有した例えば不揮発性記憶素子が組込まれた２種類の記憶媒体としてのメモリカードが着脱可能な構造となっている。この実施形態においては、機能的に一方を併用メモリカード１３と称し、他方を更新専用メモリカード１４と称する。
【００３４】
併用メモリカード１３には、カードリーダ・ライタ１１に装着される前には、図４（ａ）に示すように、撮像部１０で撮影された画像が書込まれる画像記憶領域１５、少なくとも撮像部１０の動作を制御する駆動制御ソフトに対する更新用ソフト１６、更新用ソフト１６のバージョンＶ1が記憶されている。そして、図４（ａ）の状態の併用メモリカード１３をカードリーダ・ライタ１１に装着して、駆動制御ソフトの更新が終了すると、使用済みの更新用ソフト１６、バージョンＶ1が消去されて、図４（ｂ）に示すように、全部の領域が画像記憶領域１５となる。
【００３５】
一方、更新専用メモリカード１４には、図４（ｃ）に示すように、更新用ソフト１６、更新用ソフト１６のバージョンＶ1のみが記憶されている。そして、この更新専用メモリカード１４には、画像記憶領域１５は形成されていない。そして、図４（ｃ）の更新専用メモリカード１４をカードリーダ・ライタ１１に装着して、駆動制御ソフトの更新が終了したとしても、この更新用ソフト１６、更新用ソフト１６のバージョンＶ1は消去されずに、この更新専用メモリカード１４がカードリーダ・ライタ１１のカード挿入口１２から排出される。具体的には、更新専用メモリカード１４には更新用ソフト１６の消去禁止が記憶されている。
【００３６】
図３は、防犯カメラ８の機能を示すブロック構成図である。この防犯カメラ８は、大きく分けて、コンピュータ等の情報処理装置で構成された主制御部１７と、撮像部１０と、カードリーダ・ライタ１１と、このカードリーダ・ライタ１１に対する各メモリカード１３、１４の装着動作と取外し（引き抜き）動作を検出するカード着脱検出部１８とで構成されている。
【００３７】
情報処理装置で構成された主制御部１７内には、例えばＲＡＭ等の記憶部１９が設けられており、この記憶部１９内に、少なくとも撮像部１０の撮影動作や画像圧縮部２３の圧縮条件を制御する駆動制御ソフト２１、この駆動制御ソフト２１のバージョンＶS、書込可能フラグ２０等が記憶されている。なお、書込可能フラグ２０が「１」に設定された状態は、カードリーダ・ライタ１１に併用メモリカード１３が装着され、画像記憶領域１５に画像の書込が可能である。書込可能フラグ２０が「０」の場合は、書込が不可能状態を示す。
【００３８】
さらに、主制御部１７内には、撮像部１０で撮影されたかご１内の画像を画像圧縮する画像圧縮部２３、画像圧縮部２３で画像圧縮された画像を一時記憶するバッファメモリ２２が設けられている。
【００３９】
さらに、この主制御部１７内には、アプリケーションプログラム上に、それぞれプログラムモジュールとして形成された、画像書込部２４、カード種別判定部２５、更新判定部２６、ソフト更新部２７、更新用ソフト消去部２８等が形成されている。
【００４０】
次に、各部の具体的動作を順番に説明していく。
【００４１】
例えば、ＣＣＤ素子やＣＭＯＳ素子等の固体撮像素子が組込まれた撮像部１０には広角レンズが取付けられており、かご１内の乗客２を含む全体像を上方から例えば０．１秒間隔で撮影して、撮影した各画像（静止画像）を主制御部１７の画像圧縮部２３へ送出する。なお、この撮像部１０の上述した撮影動作は駆動制御ソフト２１にて駆動制御される。
【００４２】
画像圧縮部２３は、駆動制御ソフト２１の指示に基づいて、順次入力される画像（静止画像）を所定の圧縮率で画像圧縮する。画像の圧縮形式にはＪＰＥＧ、ウェーブレット、モーションＪＰＥＧ等が用いられる。画像圧縮部２３で圧縮された画像は、一旦、バッファメモリ２２に記憶されたのち、画像書込部２４へ送出される。
【００４３】
画像書込部２４は、記憶部１９の書込可能フラグ２０が「１」に設定されている状態において、バッファメモリ２２から入力された、各画像をカードリーダ・ライタ１１へ送出する。カードリーダ・ライタ１１はカード挿入口１２に装着されている併用メモリカード１３の画像記憶領域１５に撮影時刻を付した画像を順次書込んで行く。画像記憶領域１５の書込領域が無くなると、古い画像に上書保存していく。
【００４４】
カード種別判定部２５は、カードリーダ・ライタ１１に、新たな併用メモリカード１３、更新専用メモリカード１４が装着されたことを、カード着脱検出部１８で検出すると、併用メモリカード１３、更新専用メモリカード１４のいずれが装着されたかを、更新用ソフト１６に対する消去禁止が記憶されているか否かで判定して、判定結果を更新判定部２６及びソフト更新部２７へ送出する。
【００４５】
更新判定部２６は、カードリーダ・ライタ１１に、新たに装着された併用メモリカード１３，更新専用メモリカード１４に記憶されている更新用ソフト１６のバージョンＶ1と、記憶部１９に記憶されている駆動制御ソフト２１のバージョンＶSとを比較して、更新用ソフト１６のバージョンＶ1が新しいときに、ソフト更新部２７へ駆動制御ソフト２１の更新を指示する。
【００４６】
更新指示を受けたソフト更新部２７は、記憶部１９に記憶されている駆動制御ソフト２１を併用メモリカード１３、更新専用メモリカード１４から読み出した更新用ソフト１６で更新するとともに、バージョンＶSも更新する。そして、併用メモリカード１３の更新用ソフト１６を用いて更新した場合は、更新用ソフト消去部２８へ消去指示を送出する。
【００４７】
更新用ソフト消去部２８は、消去指示を受領すると、カードリーダ・ライタ１１で併用メモリカード１３の更新用ソフト１６を消去する。その結果、併用メモリカード１３には、図４（ｂ）に示すように、通信記憶領域１５のみが残ることになる。併用メモリカード１３の更新用ソフト１６の消去が終了すると、記憶部１９の書込可能フラグ２０を「１」に設定する。
【００４８】
なお、書込可能フラグ２０は、カード着脱検出部１８がカードリーダ・ライタ１１に装着状態の併用メモリカード１３、更新専用メモリカード１４をカード挿入口１２から取り外されたことを検出すると、「０」に解除される。
【００４９】
このような防犯カメラ８の主制御部１７は図５の流れ図に従って駆動制御ソフト２１の更新処理を実施する。
【００５０】
先ず、記憶部１９の書込可能フラグ２０が「０」に解除されたままであれば（ステップＳ１のＮ）、カードリーダ・ライタ１１にいずれかの併用メモリカード１３、更新専用メモリカード１４が装着されるのを待つ（ステップＳ２）。カード着脱検出部１８でいずれかの併用メモリカード１３、更新専用メモリカード１４が装着されたことを検出すると(ステップＳ２のＹ)、カードリーダ・ライタ１１で新たに装着された併用メモリカード１３、更新専用メモリカード１４のカード情報を読取る（ステップＳ３）。
【００５１】
読取ったカード情報に更新用ソフト１６が含まれる場合は（ステップＳ４のＹ）、更新用ソフト１６のバージョンＶ1と、記憶部１９に記憶されている駆動制御ソフト２１のバージョンＶSとを比較する（ステップＳ５）。そして、更新用ソフト１６のバージョンＶ1が新しいときに（ステップＳ６のＹ）、駆動制御ソフト２１を更新用ソフト１６で更新するとともに、バージョンＶSも更新（ＶS＝Ｖ1）する（ステップＳ７）。更新用ソフト１６のバージョンＶ1が記憶部１９に記憶されている駆動制御ソフト２１のバージョンＶSと等しいとき、又は古いときには駆動制御ソフト２１を更新する必要ない(ステップＳ６のＮ)。
【００５２】
なお、読取ったカード情報に更新用ソフト１６が含まれていない場合は（ステップＳ４のＮ）、操作者が、更新用ソフト１６が消去された図４（ｂ）に示す状態の併用メモリカード１３を装着したので何もしない。
【００５３】
次に、読取った併用メモリカード１３、更新専用カード１４の種別を、更新用ソフト１６に対する消去禁止が記憶されているか否かで判定し（ステップＳ８）、併用メモリカード１３の場合は（ステップＳ９のＮ）、併用メモリカード１３の更新用ソフト１６を消去する（ステップＳ１０）。そして、画像の併用メモリカード１３に対する書込準備が終了したので、記憶部１９の書込可能フラグ２０を「１」に設定する（ステップＳ１１）。
【００５４】
なお、更新専用メモリカード１４の場合は、この更新用ソフト１６は消去しない(ステップＳ９のＹ)。この更新専用メモリカード１４には、画像記憶領域１５が形成されていないので、この更新専用メモリカード１４はカードリーダ・ライタ１１のカード挿入口１２から自動的に排出される。そして、操作者が、更新用ソフト１６が消去された図４（ｂ）に示す状態の併用メモリカード１３を装着すれば、記憶部１９の書込可能フラグ２０が「１」に設定される(ステップＳ１１)。
【００５５】
ステップＳ１にて、記憶部１９の書込可能フラグ２０が「１」に設定されていた場合(ステップＳ１のＹ)、撮像部１０で撮影された画像を併用メモリカード１３の画像記憶領域１５に書込む（ステップＳ１２）。そして、操作者にて併用メモリカード１３がカードリーダ・ライタ１１から取外されると（ステップＳ１３）、記憶部１９の書込可能フラグ２０を「０」に解除する（ステップＳ１４）。
【００５６】
このように構成された第１実施形態のエレベータの防犯カメラ８においては、撮像部１０で撮影された画像の記録と、駆動制御ソフト２１に対する更新用ソフト１６の一時保管と、の２つの機能を、１枚の併用メモリカード１３と１台のカードリーダ・ライタ１１とで実現している。
【００５７】
不揮発性半導体素子で構成されている併用メモリカード１３は製品コストを考慮すると、比較的記憶容量が少ないものを使用したいという要求がある。そのため実施形態の防犯カメラ８では、併用メモリカード１３の限られた記憶容量を最大限、画像保存に使用する目的で、駆動制御ソフト２１に対する更新が終了して、不要となった更新用ソフト１６を消去している。
【００５８】
また、一方で、駆動制御ソフト２１に対するデータ更新の作業性を考慮すると、更新専用メモリカード１４を使用して複数台の防犯カメラ８の駆動制御ソフト２１を更新したいという要求も想定される。この場合は、更新した後に使用済みの更新用ソフト１６を消去せずに、この更新専用メモリカード１４を排出すればよい。
【００５９】
さらに、ネットワーク環境が整備されていないエレベータのかご１内に設置された防犯カメラ８でも、かご１内に大掛かりな装置を持ち込むことなく、通常、一般に市販されている併用メモリカード１３、更新専用メモリカード１４を挿入するだけで、防犯カメラ８の駆動制御ソフト２１（ファームウエア）の更新が容易に行える。
【００６０】
また、通常、利用している併用メモリカード１３、更新専用メモリカード１４及びカードリーダ・ライタ１１のカード挿入口（スロット）がそのまま使用できる。よって、エレベータの保守員だけではなく、一般の人やビル管理人においても容易に実施できる等の効果がある。
【００６１】
（第２実施形態）
図６、図７は、本発明の第２実施形態に係る防犯カメラのエレベータのかごに対する取付状態を示す模式図である。機能を示すブロック構成図、動作を示す流れ図は、図３、図５に示す第１実施形態と同じである。
【００６２】
図６に示す防犯カメラ８ａは一つの側面７の天井６近傍位置に取付けられている。この防犯カメラ８ａにおいては、箱型の筐体９の裏面がかご１の側面７の天井６近傍位置に固定されている。この筐体９の前面９ａには、撮像部１０の広角レンズが組込まれた前端部が露出しており、さらに、筐体９の前面９ａには、筐体９内に収納されたカードリーダ・ライタ１１のカード挿入口１２が露出している。
【００６３】
したがって、併用メモリカード１３、及び更新専用メモリカード１４のカード挿入口１２に対する挿入方向は、この筐体９が取付けられた壁面７に垂直になる。
【００６４】
さらに、図７（ａ）においては、防犯カメラ８ａは、かご１のドア３に対向する側面４の天井６の近傍位置に取付けられており、カードリーダ・ライタ１１のカード挿入口１２は、筐体９の前面に設けられており、各メモリカード１３、１４の挿入方向は側面４に対して垂直である。
【００６５】
図７（ｂ）においては、防犯カメラ８は、かご１のドア３に対向する側面４の天井６の近傍位置に取付けられており、カードリーダ・ライタ１１のカード挿入口１２は、筐体９の下面に設けられており、各メモリカード１３、１４の挿入方向は側面４に対して平行である。
【００６６】
図７（ｃ）においては、防犯カメラ８ａは、かご１の天井６に取付けられており、カードリーダ・ライタ１１のカード挿入口１２は、筐体９の前面に設けられており、各メモリカード１３、１４の挿入方向は天井６に対して垂直である。
【００６７】
以上のように、図６、図７（ａ）、（ｂ）、（ｃ）に示す４種類の防犯カメラの設置方法によれば、天井６への設置、側面４、７への設置のいずれにおいても、側面４、７や天井６がメモリカード１３、１４のカードリーダ・ライタ１１のカード挿入口１２に対する着脱操作の障害物にならずに、各メモリカード１３、１４を容易に取出すことが可能である。また防犯カメラ８，８ａそのものを取り外さなくとも、各メモリカード１３、１４のみを取り外すことが可能である。このように、防犯カメラ８，８ａのメンテナンスの作業効率を大幅に向上できる。
【００６８】
（第３実施形態）
図８は、本発明の第３実施形態に係わる防犯カメラが設置されたエレベータ全体の構成図である。ビル３０内に昇降路３１が形成されている。この昇降路３１の上側の機械室に巻上機３４が設けられ、この巻上機３４に主ロープ３３が掛けられ、この主ロープ３３の両端にかご１及び釣合重り３２が吊り下げられている。制御盤３５で巻上機３４を回転駆動することによって、かご１を昇降路３１内で上下方向に移動させて目的階へ着床することが可能である。
【００６９】
そして、かご１内に、防犯カメラ８が取付けられている。そして、この第３実施形態の防犯カメラ８においては、カードリーダ・ライタ１１は、防犯カメラ８の筐体９内ではなくて、ビル３０の管理人室３６内に設置されている。この場合、かご１内の防犯カメラ８と管理人室３６内のカードリーダ・ライタ１１とは制御盤３５を経由した信号線で接続されている。
【００７０】
このように構成された第３実施形態のエレベータの防犯カメラにおいては、管理人は、管理人室３６で、各メモリカード１３、１４を用いて、かご１内に設置した防犯カメラ８の画像を管理できるとともに、防犯カメラ８の駆動制御ソフト２１を更新できる。
【図面の簡単な説明】
【００７１】
【図１】本発明の第１実施形態に係わる防犯カメラが取付けられたエレベータのかごの内部を示す模式図
【図２】同実施形態の防犯カメラの外観図
【図３】同実施形態の防犯カメラの機能を示すブロック構成図
【図４】同実施形態の防犯カメラで使用されるメモリカードのフォーマット図
【図５】同実施形態の防犯カメラの主制御部の動作を示す流れ図
【図６】本発明の第２実施形態に係わる防犯カメラのエレベータのかごに対する取付状態を示す模式図
【図７】同じく防犯カメラのエレベータのかごに対する取付状態を示す模式図
【図８】本発明の第３実施形態に係わる防犯カメラが設置されたエレベータ全体の構成図
【符号の説明】
【００７２】
１…かご、２…乗客、３…ドア、４，７…側面、６…天井、８，８ａ…防犯カメラ、９…筐体、９ａ…前面、９ｂ…側面、１０…撮像部、１１…カードリーダ・ライタ、１２…カード挿入口、１３…併用メモリカード、１４…更新専用メモリカード、１５…画像記憶領域、１６…更新用ソフト、１７…主制御部、１８…カード着脱検出部、１９…記憶部、２０…書込可能フラグ、２１…駆動制御ソフト、２２…バッファメモリ、２３…画像圧縮部、２４…画像書込部、２５…カード種別判定部、２６…更新判定部、２７…ソフト更新部、２８…更新用ソフト消去部、３０…ビル、３１…昇降路、３６…管理人室
【図１】
2008050134.tif 000003
【図２】
2008050134.tif 000004
【図３】
2008050134.tif 000005
【図４】
2008050134.tif 000006
【図５】
2008050134.tif 000007
【図６】
2008050134.tif 000008
【図７】
2008050134.tif 000009
【図８】
2008050134.tif 000010